(57)【要約】【課題】ユーザーが容易に綴じ位置を決めて綴じることが可能なステープル装置を提供する。【解決手段】ステープル装置１００は、第１ガイド部材３０および第２ガイド部材３１が、記録媒体の綴じ部Ｐに対して両側に一つずつ、且つ、それぞれが回動可能に、載置台１３の前記記録媒体載置側に配置され、第１ガイド部材３０および第２ガイド部材３１は、前記記憶媒体の当接される一つの端辺の延在する第１方向に沿った第１姿勢と、前記第１方向と直交する第２方向に沿って綴じ部Ｐを通る仮想線Ｋ２に対して対称に前記第１方向に対して傾斜する第２姿勢と、を移動可能である。【選択図】図２
2020110946.tif 000002
【特許請求の範囲】
【請求項１】
本体部と、
前記本体部に設けられ、複数枚の記録媒体の端部に位置する綴じ部において、複数枚の前記記録媒体を綴じる機能を有する綴じ処理部と、
前記綴じ部よりも外側に位置する前記記録媒体の端辺が当接され、複数枚の前記記録媒体の位置決めを行う一対のガイド部材と、
前記本体部に接続され、前記記録媒体を載置する載置面を有する載置台と、を備え、
一対の前記ガイド部材は、
前記綴じ処理部に対して両側に一つずつ、且つ、それぞれが回動可能に前記載置台の前記載置面側に配置され、
前記当接される一つの前記端辺の延在する第１方向に沿った第１姿勢と、前記載置面の延在方向において前記第１方向と直交する第２方向に沿って前記綴じ部を通る仮想線に対して線対称に、前記第１方向に対して傾斜する第２姿勢と、を回動可能である、
ことを特徴とするステープル装置。
【請求項２】
前記載置台に対して前記ガイド部材の配置側と反対側に設けられ、一対の歯車を軸支する基板を備え、
それぞれの前記ガイド部材は、
それぞれの前記歯車に連結され、前記載置台を貫通する軸によって軸支され、前記歯車の回転動作によって、前記第１姿勢と前記第２姿勢との間を移動する、
ことを特徴とする請求項１に記載のステープル装置。
【請求項３】
前記歯車は、
前記歯車に接続されたレバーを有し、前記レバーが移動されることによって、前記歯車が回転し、前記ガイド部材が回動する、
ことを特徴とする請求項２に記載のステープル装置。
【請求項４】
前記本体部に対して、前記第２方向に沿って移動可能に取り付けられ、前記基板が回動可能に軸支されているベース基板と、
前記第２方向において、前記綴じ部と反対方向の前記本体部に支持された操作部と、を備え、
前記ベース基板は、前記操作部の回転操作により、前記第２方向に移動する、
ことを特徴とする請求項２または請求項３に記載のステープル装置。
【請求項５】
前記本体部に対して、前記第２方向に沿って移動可能に取り付けられ、前記基板が回動可能に軸支されているベース基板と、
前記第２方向において、前記綴じ部と反対方向の前記ベース基板に接続された押引部と、
前記本体部に設けられ、前記押引部の前記第２方向に沿った移動をガイドするスライドガイド部と、を備え、
前記ベース基板は、前記押引部の押引き操作により、前記第２方向に移動する、
ことを特徴とする請求項２または請求項３に記載のステープル装置。
【請求項６】
前記基板は、
前記ガイド部材を回転方向に移動可能なつまみ部を備えている、
ことを特徴とする請求項２ないし請求項５のいずれか一項に記載のステープル装置。
【請求項７】
本体部と、
前記本体部に接続され、複数枚の記録媒体の端部に位置する綴じ部において、複数枚の前記記録媒体を綴じる機能を有する綴じ処理部と、
複数枚の前記記録媒体の位置決めを行う一対のガイド部材と、
前記本体部に接続され、前記記録媒体を載置する載置面を有する載置台と、を備え、
一対の前記ガイド部材は、
前記綴じ処理部に対して両側に一つずつ配置され、
前記綴じ部よりも外側に位置する前記記録媒体の一つの端辺が延在する第１方向に沿った第１面と、
前記載置面の延在方向において前記第１方向と直交する第２方向に沿って、前記綴じ部を通る仮想線上に前記記録媒体の角部が位置するように前記記録媒体を載置したとき、前記角部を構成する二つの前記端辺のいずれかに当接する第２面と、を有している、
ことを特徴とするステープル装置。
【請求項８】
前記本体部に対して、前記第２方向に沿って移動可能に取り付けられているベース基板を備え、
前記ガイド部材は、前記ベース基板に接続され、前記ベース基板とともに前記第２方向に移動する、
ことを特徴とする請求項７に記載のステープル装置。
【請求項９】
前記第２方向において、前記綴じ部と反対方向の前記本体部に支持された操作部を有し、
前記ベース基板は、前記操作部の回転操作により、前記第２方向に移動する、
ことを特徴とする請求項８に記載のステープル装置。
【請求項１０】
前記第２方向において、前記綴じ部と反対方向の前記ベース基板に接続された押引部と、
前記本体部に設けられ、前記押引部を摺動可能に支持するスライドガイド部と、を備え、
前記ベース基板は、前記押引部の押引き操作により、前記第２方向に移動する、
ことを特徴とする請求項８に記載のステープル装置。
【請求項１１】
記録媒体に記録を行う記録部と、
請求項１ないし請求項１０のいずれか一項に記載のステープル装置と、を備えている、
ことを特徴とする記録装置。
【発明の詳細な説明】
【技術分野】
【０００１】
本発明は、ステープル装置、およびステープル装置を備えた記録装置に関する。
【背景技術】
【０００２】
従来、記録媒体としてのシートを複数枚重ねた状態で綴じるステープル装置が知られている。このようなステープル装置として、例えば特許文献１には、シートの端面から綴じ位置までの距離を決定し、駆動モーターなどを用いたシート移動機構により、シートを移動させることによって綴じ位置を設定してシートを綴じるシート処理装置が開示されている。
【先行技術文献】
【特許文献】
【０００３】
【特許文献１】特開２０１２−１２６５１５号公報
【発明の概要】
【発明が解決しようとする課題】
【０００４】
しかしながら、特許文献１のシート処理装置では、シートの端面から綴じ位置までの距離を設定した上で、駆動モーターなどを用いたシート移動機構によりシートを移動させて綴じ位置を設定するなど構成や取り扱いが複雑であり、ユーザーが容易に綴じ位置を決めて綴じることが困難であった。
【課題を解決するための手段】
【０００５】
本願のステープル装置は、本体部と、前記本体部に設けられ、複数枚の記録媒体の端部に位置する綴じ部において、複数枚の前記記録媒体を綴じる機能を有する綴じ処理部と、前記綴じ部よりも外側に位置する前記記録媒体の端辺が当接され、複数枚の前記記録媒体の位置決めを行う一対のガイド部材と、前記本体部に接続され、前記記録媒体を載置する載置面を有する載置台と、を備え、一対の前記ガイド部材は、前記綴じ処理部に対して両側に一つずつ、且つ、それぞれが回動可能に前記載置台の前記載置面側に配置され、前記当接される一つの前記端辺の延在する第１方向に沿った第１姿勢と、前記載置面の延在方向において前記第１方向と直交する第２方向に沿って前記綴じ部を通る仮想線に対して線対称に、前記第１方向に対して傾斜する第２姿勢と、を回動可能である、ことを特徴とする。
【０００６】
上述のステープル装置において、前記載置台に対して前記ガイド部材の配置側と反対側に設けられ、一対の歯車を軸支する基板を備え、それぞれの前記ガイド部材は、それぞれの前記歯車に連結され、前記載置台を貫通する軸によって軸支され、前記歯車の回転動作によって、前記第１姿勢と前記第２姿勢との間を移動することとしてもよい。
【０００７】
上述のステープル装置において、前記歯車は、前記歯車に接続されたレバーを有し、前記レバーが移動されることによって、前記歯車が回転し、前記ガイド部材が回動することとしてもよい。
【０００８】
上述のステープル装置において、前記本体部に対して、前記第２方向に沿って移動可能に取り付けられ、前記基板が回動可能に軸支されているベース基板と、前記第２方向において、前記綴じ部と反対方向の前記本体部に支持された操作部と、を備え、前記ベース基板は、前記操作部の回転操作により、前記第２方向に移動することとしてもよい。
【０００９】
上述のステープル装置において、前記本体部に対して、前記第２方向に沿って移動可能に取り付けられ、前記基板が回動可能に軸支されているベース基板と、前記第２方向において、前記綴じ部と反対方向の前記ベース基板に接続された押引部と、前記本体部に設けられ、前記押引部の前記第２方向に沿った移動をガイドするスライドガイド部と、を備え、前記ベース基板は、前記押引部の押引き操作により、前記第２方向に移動することとしてもよい。
【００１０】
上述のステープル装置において、前記基板は、前記ガイド部材を回転方向に移動可能なつまみ部を備えていることとしてもよい。
【００１１】
本願のステープル装置は、本体部と、前記本体部に接続され、複数枚の記録媒体の端部に位置する綴じ部において、複数枚の前記記録媒体を綴じる機能を有する綴じ処理部と、複数枚の前記記録媒体の位置決めを行う一対のガイド部材と、前記本体部に接続され、前記記録媒体を載置する載置面を有する載置台と、を備え、一対の前記ガイド部材は、前記綴じ処理部に対して両側に一つずつ配置され、前記綴じ部よりも外側に位置する前記記録媒体の一つの端辺が延在する第１方向に沿った第１面と、前記載置面の延在方向において前記第１方向と直交する第２方向に沿って、前記綴じ部を通る仮想線上に前記記録媒体の角部が位置するように前記記録媒体を載置したとき、前記角部を構成する二つの前記端辺のいずれかに当接する第２面と、を有している、ことを特徴とする。
【００１２】
上述のステープル装置において、前記本体部に対して、前記第２方向に沿って移動可能に取り付けられているベース基板を備え、前記ガイド部材は、前記ベース基板に接続され、前記ベース基板とともに前記第２方向に移動することとしてもよい。
【００１３】
上述のステープル装置において、前記第２方向において、前記綴じ部と反対方向の前記本体部に支持された操作部を有し、前記ベース基板は、前記操作部の回転操作により、前記第２方向に移動することとしてもよい。
【００１４】
上述のステープル装置において、前記第２方向において、前記綴じ部と反対方向の前記ベース基板に接続された押引部と、前記本体部に設けられ、前記押引部を摺動可能に支持するスライドガイド部と、を備え、前記ベース基板は、前記押引部の押引き操作により、前記第２方向に移動することとしてもよい。
【００１５】
本願の記録装置は、記録媒体に記録を行う記録部と、上記のいずれか一つに記載のステープル装置と、を備えている、ことを特徴とする。
【図面の簡単な説明】
【００１６】
【図１】第１実施形態に係るステープル装置の概略構成を示す外観斜視図。
【図２】第１実施形態に係るステープル装置の概略構成を示す平面図。
【図３】ステープル装置の概略構成を示し、図２のＢ−Ｂ断面図。
【図４】ステープル装置の概略構成を示し、図２のＡ−Ａ断面図。
【図５】第１実施形態に係るステープル装置のガイド部材の配置例１を示す平面図。
【図６】ステープル装置のガイド部材の配置例２を示す平面図。
【図７】ステープル装置のガイド部材の配置例３を示す平面図。
【図８】第２実施形態に係るステープル装置の概略構成を示す外観斜視図。
【図９】第２実施形態に係るステープル装置の概略構成を示す平面図。
【図１０】ステープル装置の概略構成を示し、図９のＢ２−Ｂ２断面図。
【図１１】第２実施形態に係るステープル装置のガイド部材と綴じ部との相関を示す平面図。
【図１２】第３実施形態に係るステープル装置の概略構成を示す断面図。
【図１３】記録装置の構成を示す概略断面図。
【図１４】記録装置の概略構成を示す外観斜視図。
【発明を実施するための形態】
【００１７】
以下、図面を参照して、本発明を実施するための実施形態について詳細に説明する。なお、以下で説明する本実施形態は、特許請求の範囲に記載された本発明の内容を不当に限定するものではない。また、本実施形態で説明される構成の全てが、本発明の必須構成要件であるとは限らない。また、参照する各図では、同一または相当する部分に同一の符号を付しており、その重複説明は適宜に簡略化ないし省略することがある。また、各図には、説明の便宜上、互いに直交する三つの軸として、Ｘ軸、Ｙ軸およびＺ軸が図示されており、各軸を表す矢印の先端側を「＋」、基端側を「−」とする。また、以下では、Ｘ軸に平行な方向を「Ｘ方向」、Ｙ軸に平行な方向を「Ｙ方向」、Ｚ軸に平行な方向を「Ｚ方向」として説明する。また、＋Ｚ軸側を「上」もしくは「上方」、−Ｚ軸側を「下」もしくは「下方」とも言う。また、Ｘ−Ｙ平面に沿って記録媒体を載置する載置台の載置面が設けられ、Ｘ方向が、第２方向に相当し、Ｙ方向が、第１方向に相当する。ここで、第１方向は、記録媒体としての記録用紙の四つの端辺が、それぞれＸ軸およびＹ軸に略沿った状態で、第２方向に沿ってステープル装置に挿入される場合、挿入方向に対して先端側に位置する記録用紙の一つの端辺が延在する方向に相当する。また、ここでの「直交する」とは、９０度で交差する厳密な直角を意味せず、９０度±５度程度の誤差を含んでもよいものとする。
【００１８】
１．第１実施形態
先ず、図１、図２、図３、および図４を参照して、第１実施形態に係るステープル装置の構成について説明する。なお、ステープル装置は、ステープラーと呼称されることもある。図１は、第１実施形態に係るステープル装置の概略構成を示す外観斜視図である。図２は、第１実施形態に係るステープル装置の概略構成を示す平面図である。なお、図２は、説明の便宜上、本体上部および載置台を透過した状態、即ち図４のＣ−Ｃ線での断面を示す図である。図３は、ステープル装置の概略構成を示し、図２のＢ−Ｂ断面図である。図４は、ステープル装置の概略構成を示し、図２のＡ−Ａ断面図である。
【００１９】
１．１．概略構成
先ず、第１実施形態に係るステープル装置１００の概略構成について説明する。第１実施形態に係るステープル装置１００は、図１に示すように、本体部１０と、記録媒体の載置される載置面１３ｆを有する載置台１３と、操作部３９と、載置台１３の載置面１３ｆ側に、回動可能に配置された一対のガイド部材である第１ガイド部材３０および第２ガイド部材３１と、下部基板１７とを備えている。
【００２０】
本体部１０は、本体下部１１、本体上部１２、および連結部１４を含んでいる。本体部１０は、本体下部１１と本体上部１２との間に、記録媒体としての記録用紙を挿入して綴じ処理を行う挿入空間Ｑを有するように、＋Ｘ方向に位置する連結部１４によって本体下部１１と本体上部１２とが連結されている。換言すれば、本体部１０は、本体下部１１と本体上部１２とが、連結部１４を介して折り返された構成である。なお、本体上部１２は、本体下部１１よりも、連結部１４からの長さが短く構成されており、記録用紙の挿入を行い易くすることができる。そして、ステープル装置１００は、この挿入空間Ｑの内において、第１ガイド部材３０および第２ガイド部材３１によって位置決めされた複数枚の記録用紙を綴じる綴じ処理を行うことができる。
【００２１】
本体下部１１の挿入空間Ｑ側の上面には、記録用紙を載置する載置台１３が、例えばネジなどの固定具（不図示）によって接続されている。本体下部１１の挿入空間Ｑ側と反対側の下面には、下部基板１７が、例えばネジなどの固定具（不図示）によって接続されている。本体下部１１には、後述する収容部１９（図２参照）が設けられている。本体下部１１の側面には、収容部１９に貫通する窓部である第２窓部１８ｂがＸ軸に沿った長方形状に設けられ、第２窓部１８ｂから第１ガイド部材３０および第２ガイド部材３１を回動させることができるレバーとしての第２操作レバー２８が突出している。
【００２２】
操作部３９は、回転つまみ３５を含み、回転つまみ３５を回転動作させることで、本体下部１１および載置台１３に対して、第１ガイド部材３０および第２ガイド部材３１を第２方向に相対移動させることができる。
【００２３】
１．２．詳細構成および動作
次に、第１実施形態に係るステープル装置１００の詳細構成および作動部位の動作について説明する。本体部１０を構成する本体上部１２には、図３および図４に示すように、複数枚の記録媒体としての記録用紙（不図示）の端部に位置する綴じ部Ｐにおいて、複数枚の記録用紙を綴じる機能を有する綴じ処理部４０が接続されている。綴じ処理部４０は、本体下部１１の上面に接続されている載置台１３の、綴じ部Ｐに対応する位置に設けられている綴じ受部４１も含む。
【００２４】
綴じ受部４１を含む綴じ処理部４０は、複数枚の記録用紙（不図示）の端部を綴じ部Ｐに位置合わせさせた状態で、その複数枚の記録用紙（以下、「記録用紙束」ということもある）に対して綴じ処理を行うものである。
【００２５】
綴じ処理部４０は、図示していないが、本体上部１２側に位置する可動部（不図示）がＺ方向に往復移動することによって綴じ処理を行う。なお、綴じ処理部４０を構成する可動部の移動手段には、電磁駆動機構や駆動モーターなどを好適に用いることができる。このような移動手段の駆動には、綴じ処理を行うためのスイッチを設けた構成や、綴じ処理部４０に記録用紙束が挿入されたことをセンサーで検知して綴じ処理を行う構成を用いることができる。また、綴じ処理部４０としては、金属針を用いるタイプのものや、金属針を用いないタイプのもの、など公知のものを用いることができる。
【００２６】
本体部１０を構成する本体下部１１には、図２、図３、および図４に示すように、綴じ部Ｐを含む領域に相応する空間である収容部１９が設けられている。収容部１９は、操作部３９の設けられている方向に第１側壁１９ａを有し、その反対方向に第２側壁１９ｂを有し、第１側壁１９ａと第２側壁１９ｂとを繋ぐ一対の側壁である、＋Ｙ方向の第３側壁１９ｃおよび−Ｙ方向の第４側壁１９ｄを有している。収容部１９は、本体下部１１の上面に接続された載置台１３と、本体下部１１の下面に接続された下部基板１７とに挟まれている。
【００２７】
収容部１９には、下部基板１７側から順に、ベース基板２０と、ベース基板２０に対して回動可能に、基板軸２４によって軸支された基板２１と、基板２１上に配置され、基板２１に対して回動可能に、歯車軸２５，２６によってそれぞれ軸支された一対の歯車としての第１歯車２２および第２歯車２３と、が収容されている。即ち、第１歯車２２および第２歯車２３は、載置台１３の直下に配置され、収容部１９に収容されている。また、基板２１は、載置台１３に対して第１ガイド部材３０および第２ガイド部材３１の配置側と反対側に設けられ、第１歯車２２および第２歯車２３を軸支している。
【００２８】
なお、歯車軸２５，２６は、第１歯車２２および第２歯車２３を基板２１に対して軸支するとともに、載置台１３を貫通する逃げ孔３７，３８を通り、載置台１３の収容部１９と反対側まで延在し、ガイド部材としての第１ガイド部材３０および第２ガイド部材３１と接続されている。詳細には、歯車軸２５は、第１歯車２２を軸支するとともに、載置台１３を貫通する逃げ孔３７を通り抜け、第１ガイド部材３０と接続されている。歯車軸２６は、第２歯車２３を軸支するとともに、載置台１３を貫通する逃げ孔３８を通り抜け、第２ガイド部材３１と接続されている。ここで、載置台１３を貫通する逃げ孔３７，３８は、それぞれ図２に二点鎖線で示すような円弧形状の溝孔として設けられている。なお、逃げ孔３７，３８の構成については、後段にて詳述する。
【００２９】
歯車軸２５，２６によって基板２１に軸支された第１歯車２２および第２歯車２３は、Ｚ軸方向からの平面視でＹ軸に沿って並び、それぞれが噛み合って配置されている。即ち、第１歯車２２および第２歯車２３は、それぞれが連動し、互いに逆方向に回動する。
【００３０】
第２歯車２３には、−Ｙ方向に位置する第２窓部１８ｂに向って延びるレバーとしての第２操作レバー２８が接続されている。なお、第２操作レバー２８は、第２窓部１８ｂから本体下部１１の外部に突出している。そして、第２歯車２３は、第２操作レバー２８を、図２に示す第２操作レバー移動方向ｍ２のように移動させることによって回転し、その回転に連れて第１歯車２２が逆方向に回転する。つまり、第２操作レバー２８の移動操作によって、第１歯車２２および第２歯車２３に連結されている第１ガイド部材３０および第２ガイド部材３１が、互いに逆回転で回動する。なお、図２には、第１歯車２２および第２歯車２３の回転方向を矢印ｒ２，ｒ３で示している。
【００３１】
なお、一対のガイド部材である第１ガイド部材３０および第２ガイド部材３１は、載置台１３の載置面１３ｆ側に配置され、綴じ処理部４０を構成する綴じ受部４１に対して両側に一つずつ、即ち綴じ部Ｐに対して両側に一つずつ、且つ、それぞれが回動可能に設けられている。具体的に、第１ガイド部材３０は、綴じ部Ｐに対して＋Ｙ方向側に配置され、第２ガイド部材３１は、綴じ部Ｐに対して−Ｙ方向側に配置されている。
【００３２】
そして、この回転動作によって、第１ガイド部材３０および第２ガイド部材３１は、Ｙ軸に相当する第１方向に沿って配置される第１姿勢と、互いの延長線が交差する角度が略９０度で、−Ｘ方向に開いて配置される位置である第２姿勢とで固定される。つまり、第１ガイド部材３０および第２ガイド部材３１は、第１方向に沿った第１姿勢と、この第１姿勢の位置から略４５度の角度で傾斜した第２姿勢の位置との間を移動する。なお、第１姿勢は、当接される記録用紙の一つの端辺が延在する方向である第１方向に沿って、第１ガイド部材３０および第２ガイド部材３１が配置される形態を言う。
【００３３】
このように、レバーとしての第２操作レバー２８を移動操作して、一対の歯車である第１歯車２２および第２歯車２３を回転させることによって、ガイド部材である第１ガイド部材３０および第２ガイド部材３１は、それぞれ逆方向に回転し、第１姿勢と第２姿勢との間を容易に回動することができる。
【００３４】
また、本形態において、第１歯車２２および第２歯車２３の回転中心は、Ｙ軸に沿って配置され、且つ基板軸２４の軸心に対して同心円上に設けられている。つまり、基板２１の回動によって、第１歯車２２および第２歯車２３は、基板軸２４の軸心を中心に回転移動する。なお、基板２１の回動は、つまみ部としての第１操作レバー２７の移動操作によって行うことができる。
【００３５】
基板２１には、＋Ｙ方向に位置する第１窓部１８ａに向って延びるつまみ部としての第１操作レバー２７が接続されている。ここで、第１窓部１８ａは、本体下部１１の＋Ｙ方向の側面に、Ｘ軸に沿った長方形状に設けられた収容部１９に貫通する窓部である。なお、第１操作レバー２７は、第１窓部１８ａから本体下部１１の外部に突出している。そして、基板２１は、第１操作レバー２７を、図２に示す第１操作レバー移動方向ｍ１のように移動させることによって、図２に示す基板回転方向ｒ１に回転し、その回転に連れて第１歯車２２および第２歯車２３が移動する。つまり、つまみ部としての第１操作レバー２７の移動操作によって、第１歯車２２および第２歯車２３に軸支されている第１ガイド部材３０および第２ガイド部材３１を、基板２１の基板軸２４の軸心を中心に回転移動させることができる。
【００３６】
なお、本実施形態において、基板２１の回転中心は、第１歯車２２および第２歯車２３の中心を結ぶ線上に設けられている構成を例示したが、これに限らない。基板２１の回転中心の位置は、例えば、綴じ部Ｐに重なる位置とすることができる。この場合、基板２１が回転した場合でも、記録用紙に対する綴じ部Ｐの位置を、記録用紙の端辺よりも内側に位置させることができる。
【００３７】
ここで、歯車軸２５，２６が通り抜ける載置台１３の逃げ孔３７，３８の構成について説明する。上述したような基板２１の回転動作により、回転する基板２１に軸支されている歯車軸２５，２６も同様に回転移動する。したがって、歯車軸２５，２６が通り抜ける載置台１３の逃げ孔３７，３８は、図２に二点鎖線で示すように、基板軸２４の軸心を中心とする同心円に沿って、内角が４５度を超える円弧形状をなした溝孔として設けられている。
【００３８】
ベース基板２０は、本体部１０の本体下部１１に対して、Ｘ方向に相当する第２方向に沿って移動可能に取り付けられている。本構成のベース基板２０は、Ｘ方向両側に第１外側面２０ａおよび第２外側面２０ｂを有し、Ｙ方向両側に第３外側面２０ｃおよび第４外側面２０ｄを有する四角形状の基板を例示している。
【００３９】
ベース基板２０は、Ｙ方向両側の第３外側面２０ｃおよび第４外側面２０ｄのそれぞれが、本体下部１１に設けられた収容部１９の第３側壁１９ｃおよび第４側壁１９ｄのそれぞれに対して摺動可能に配置されている。つまり、ベース基板２０は、収容部１９の第３側壁１９ｃおよび第４側壁１９ｄを摺動のガイドとして、第２方向に移動することができる。
【００４０】
また、ベース基板２０は、基板２１の基板軸２４に対応する軸受孔２４ｈを有している。そして、ベース基板２０は、軸受孔２４ｈに軸支された基板軸２４によって、基板２１を回転可能に支持している。
【００４１】
また、ベース基板２０は、第１外側面２０ａから＋Ｘ方向に向って掘り込まれた雌ネジ部２９を有している。そして、ベース基板２０は、この雌ネジ部２９にネジ嵌めされて取り付けられた操作部３９の雄ネジ部３２の回転動作によって、収容部１９の第３側壁１９ｃおよび第４側壁１９ｄをガイドとして、収容部１９の第１側壁１９ａと第２側壁１９ｂとの間を、図２に矢印ｍ３で示すように第２方向に沿って移動する。このベース基板２０の第２方向への移動によって、本体下部１１に接続されている載置台１３および綴じ部Ｐに対して、第１ガイド部材３０および第２ガイド部材３１を、第２方向に移動させることができる。
【００４２】
操作部３９は、記録用紙の挿入される−Ｘ方向側、即ち綴じ部Ｐに対して反対方向に位置する本体下部１１に設けられている。操作部３９は、フランジ３３を含む回転軸３４と、回転つまみ３５とを備えている。回転軸３４は、フランジ３３から一方端までの間に、ベース基板２０の雌ネジ部２９にネジ嵌めされる雄ネジ部３２が設けられ、フランジ３３から他方端までの間において、本体下部１１の収容部１９から外側に貫通するガイド孔３６に挿通され、端部に回転つまみ３５が固定されている。つまり、回転軸３４は、フランジ３３と回転つまみ３５によって、本体下部１１に対して回転可能に保持されている。
【００４３】
このように、本体下部１１に設けられた操作部３９の回転操作により、ベース基板２０が第２方向に沿って移動することにより、ベース基板２０およびベース基板２０に基板２１および第１歯車２２および第２歯車２３を介して軸支されている第１ガイド部材３０および第２ガイド部材３１を第２方向に移動させることができる。これにより、記録用紙に対する第２方向に係る綴じ部Ｐの位置を容易に変えることができる。
【００４４】
１．３．ガイド部材の配置
以上説明した第１実施形態に係るステープル装置１００によれば、記録媒体としての複数枚の記録用紙で構成される記録用紙束に対して、三パターンのガイド部材の配置を行うことができる。つまり、第１実施形態に係るステープル装置１００によれば、三つの綴じ位置、および綴じ向きにおいて、綴じ処理を行うことができる。このことについて、図５、図６、および図７を参照して説明する。図５は、第１実施形態に係るステープル装置のガイド部材の配置例１を示す平面図である。図６は、ステープル装置のガイド部材の配置例２を示す平面図である。図７は、ステープル装置のガイド部材の配置例３を示す平面図である。
【００４５】
先ず、図５に示す配置例１は、記録媒体としての記録用紙Ｓ１の一つの端辺Ｓ１ａを、第１ガイド部材３０ａのガイド面３０ｆ、および第２ガイド部材３１ａのガイド面３１ｆに当接させるように、記録用紙Ｓ１の束を載置台１３上に挿入し、記録用紙Ｓ１の位置決めを行う。そして、記録用紙Ｓ１の一つの端辺Ｓ１ａの内側に綴じ部Ｐを設ける場合を例示している。
【００４６】
この場合の第１ガイド部材３０ａおよび第２ガイド部材３１ａは、第１ガイド部材３０ａのガイド面３０ｆと第２ガイド部材３１ａのガイド面３１ｆとが、Ｙ軸に相当する第１方向に沿って並ぶように、歯車軸２５，２６の回転に伴って回動して配置された第１姿勢を構成する。ここで、記録用紙Ｓ１の端辺Ｓ１ａと綴じ部Ｐとの距離の調整が必要な場合は、図示しないベース基板２０（図２参照）を操作部３９の回転操作によって移動させることによって調整することができる。
【００４７】
次に、図６に示す配置例２は、記録媒体としての記録用紙Ｓ２の一つの端辺Ｓ２ａと、この端辺Ｓ２ａと交差して角部Ｓｃを構成する他の端辺Ｓ２ｂとを、第１ガイド部材３０ｂのガイド面３０ｆ、および第２ガイド部材３１ｂのガイド面３１ｆに当接させるように、載置台１３上において記録用紙Ｓ２の束の角部Ｓｃを先頭に挿入することによって、記録用紙Ｓ２の位置決めを行う。そして、記録用紙Ｓ２の端辺Ｓ２ａと端辺Ｓ２ｂとの交差する角部Ｓｃの内側に綴じ部Ｐを設ける場合を例示している。
【００４８】
この場合の第１ガイド部材３０ｂおよび第２ガイド部材３１ｂは、第１ガイド部材３０ｂのガイド面３０ｆと第２ガイド部材３１ｂのガイド面３１ｆとが、互いのなす角度を略９０度とし、−Ｘ方向に開いて配置されるように、歯車軸２５，２６の回転によって回動して配置された第２姿勢を構成する。換言すれば、第１ガイド部材３０ｂのガイド面３０ｆと第２ガイド部材３１ｂのガイド面３１ｆとが、１８０度開いた状態の第１姿勢から、略９０度まで閉じる方向に移動した状態の第２姿勢に回動する。なお、第１姿勢から第２姿勢までの回動角度は、基本的には９０度以上に広げる必要がないため、図示はしないが、それぞれの位置で止まるような構成、すなわちストッパーが設けられている。ここで、記録用紙Ｓ２の角部Ｓｃと綴じ部Ｐとの距離の調整が必要な場合は、図示しないベース基板２０（図２参照）を操作部３９の回転操作によって移動させることによって調整することができる。
【００４９】
このように、配置例１、および配置例２を適用し、回動可能な第１ガイド部材３０ａ，３０ｂおよび第２ガイド部材３１ａ，３１ｂで示すような回転動作を用いることにより、ユーザーは、簡便な取り扱いで二パターンの綴じ位置を容易に決めることができ、複数枚の記録用紙を綴じることができる。
【００５０】
次に、図７に示す配置例３は、記録媒体としての記録用紙Ｓ３の一つの端辺Ｓ３ａと、この端辺Ｓ３ａと交差して角部Ｓｃを構成する他の端辺Ｓ３ｂとを、第１ガイド部材３０ｃのガイド面３０ｆ、および第２ガイド部材３１ｃのガイド面３１ｆに当接させる。この場合、載置台１３上において記録用紙Ｓ３の束の角部Ｓｃを、第２方向に対して傾斜させた斜め方向から挿入することによって、記録用紙Ｓ３の位置決めを行う。そして、記録用紙Ｓ３の端辺Ｓ３ａと端辺Ｓ３ｂとの交差する角部Ｓｃの内側に、配置例２に示した綴じ方向に対して、基板２１を回転させることによって綴じ方向を変えた綴じ部Ｐを設ける場合を例示している。
【００５１】
この場合の第１ガイド部材３０ｃおよび第２ガイド部材３１ｃは、第１ガイド部材３０ｃのガイド面３０ｆと第２ガイド部材３１ｃのガイド面３１ｆとが、互いのなす角度を略９０度とし、−Ｘ方向に開いて配置された第２姿勢から、基板２１（図２参照）回転によって略４５度回転移動した第３姿勢を構成する。ここで、記録用紙Ｓ３の端辺Ｓ３ａと綴じ部Ｐとの距離の調整が必要な場合は、図示しないベース基板２０（図２参照）を操作部３９の回転操作によって移動させることによって調整することができる。
【００５２】
このように、配置例１、配置例２、および配置例３を適用し、回動可能な第１ガイド部材３０ａ，３０ｂ，３０ｃおよび第２ガイド部材３１ａ，３１ｂ，３１ｃの回転動作と、基板２１の回転動作とを用いることにより、ユーザーは、簡便な取り扱いで三パターンの綴じ位置を容易に決めることができ、複数枚の記録用紙を綴じることができる。
【００５３】
２．第２実施形態
次に、図８、図９、および図１０を参照して、第２実施形態に係るステープル装置の構成について説明する。図８は、第２実施形態に係るステープル装置の概略構成を示す外観斜視図である。図９は、第２実施形態に係るステープル装置の概略構成を示す平面図である。なお、図９は、説明の便宜上、本体上部および載置台を透過した状態を示す図である。図１０は、ステープル装置の概略構成を示し、図９のＢ２−Ｂ２断面図である。
【００５４】
２．１．概略構成
先ず、第２実施形態に係るステープル装置２００の概略構成について説明する。第２実施形態に係るステープル装置２００は、図８に示すように、本体部２１０と、記録媒体を載置する載置面２１３ｆを有する載置台２１３と、操作部２３９と、載置台２１３の載置面２１３ｆ側に設けられた一対のガイド部材である第１ガイド部材２３０および第２ガイド部材２３１と、下部基板２１７とを備えている。
【００５５】
本体部２１０は、第１実施形態と同様な構成であり、本体下部２１１、本体上部２１２、および連結部２１４を含んでいる。本体部２１０は、本体下部２１１と本体上部２１２との間に、記録媒体としての記録用紙を挿入して綴じ処理を行う挿入空間Ｑを有するように、＋Ｘ方向に位置する連結部２１４によって本体下部２１１と本体上部２１２とが連結されている。換言すれば、本体部２１０は、本体下部２１１と本体上部２１２とが、連結部２１４を介して折り返された構成である。なお、本体上部２１２は、本体下部２１１よりも、連結部２１４からの長さが短く構成されており、記録用紙の挿入を行い易くすることができる。そして、ステープル装置２００は、この挿入空間Ｑの内において、第１ガイド部材２３０および第２ガイド部材２３１によって位置決めされた複数枚の記録用紙を綴じる綴じ処理を行うことができる。
【００５６】
本体下部２１１の挿入空間Ｑ側の上面には、記録用紙を載置する載置台２１３が、例えばネジなどの固定具（不図示）によって接続されている。また、本体下部２１１の挿入空間Ｑ側と反対側の下面には、下部基板２１７が、例えばネジなどの固定具（不図示）によって接続されている。
【００５７】
操作部２３９は、回転つまみ２３５を含み、回転つまみ２３５を回転動作させることで、本体下部２１１および載置台２１３に対して、第１ガイド部材２３０および第２ガイド部材２３１をＸ方向に相対移動させることができる。
【００５８】
２．２．詳細構成および動作
次に、第２実施形態に係るステープル装置２００の詳細構成および作動部位の動作について説明する。本体部２１０を構成する本体上部２１２には、図９および図１０に示すように、複数枚の記録媒体としての記録用紙束（不図示）の端部に位置する綴じ部Ｐにおいて、記録用紙束を綴じる機能を有する綴じ処理部２４０が接続されている。綴じ処理部２４０は、本体下部２１１の上面に接続されている載置台２１３の、綴じ部Ｐに対応する位置に設けられている綴じ受部２４１も含む。
【００５９】
綴じ受部２４１を含む綴じ処理部２４０は、複数枚の記録用紙（不図示）の端部を綴じ部Ｐに位置合わせさせた状態で、その複数枚の記録用紙束に対して綴じ処理を行うものである。
【００６０】
綴じ処理部２４０は、図示していないが、Ｚ方向に移動して綴じ処理を行う。なお、綴じ処理部２４０の移動手段には、電磁駆動機構や駆動モーターなどを好適に用いることができる。このような移動手段の駆動には、綴じ処理を行うためのスイッチを設けた構成や、綴じ処理部２４０に記録用紙束が挿入されたことをセンサーで検知して綴じ処理を行う構成を用いることができる。また、綴じ処理部２４０としては、金属針を用いるタイプのものや、金属針を用いないタイプのもの、など公知のものを用いることができる。
【００６１】
載置台２１３は、＋Ｚ方向からの平面視で、第１ガイド部材２３０および第２ガイド部材２３１の配置位置を除く領域において、本体下部２１１の上面に接続されている。載置台２１３は、第１ガイド部材２３０および第２ガイド部材２３１の間に突出する凸状部２２１を有し、この凸状部２２１に、綴じ処理部２４０に相応し、綴じ部Ｐに対応する位置に設けられている綴じ受部２４１が設けられている。
【００６２】
本体部２１０を構成する本体下部２１１には、綴じ部Ｐを含む領域に相応する収容部２１９が設けられている。収容部２１９は、操作部２３９の設けられている方向に第１側壁２１９ａを有し、その反対方向に第２側壁２１９ｂを有し、第１側壁２１９ａと第２側壁２１９ｂとを繋ぐ一対の側壁である、＋Ｙ方向の第３側壁２１９ｃ、および−Ｙ方向の第４側壁２１９ｄを有している。収容部２１９は、本体下部２１１の上面に接続された載置台２１３と、本体下部２１１の下面に接続された下部基板２１７とに挟まれている。
【００６３】
収容部２１９には、ベース基板２２０と、ベース基板２２０の上面に接続された一対のガイド部材としての第１ガイド部材２３０および第２ガイド部材２３１と、が収容されている。ベース基板２２０は、操作部２３９を構成する雄ネジ部２３２にネジ嵌めによって連結され、操作部２３９によって本体下部２１１に連結されている。
【００６４】
ベース基板２２０は、本体部２１０の本体下部２１１に対して、Ｘ方向に相当する第２方向に沿って移動可能に取り付けられている。本構成のベース基板２２０は、Ｘ方向両側に第１外側面２２０ａおよび第２外側面２２０ｂを有し、Ｙ方向両側に第３外側面２２０ｃおよび第４外側面２２０ｄを有する四角形状の基板である。
【００６５】
ベース基板２２０は、Ｙ方向両側の第３外側面２２０ｃおよび第４外側面２２０ｄのそれぞれが、本体下部２１１に設けられた収容部２１９の第３側壁２１９ｃおよび第４側壁２１９ｄのそれぞれに摺動可能に配置されている。つまり、ベース基板２２０は、収容部２１９の第３側壁２１９ｃおよび第４側壁２１９ｄをガイドとして、第２方向に移動することができる。
【００６６】
また、ベース基板２２０は、第１外側面２２０ａから＋Ｘ方向に掘り込まれた雌ネジ部２２９を有している。そして、ベース基板２２０は、この雌ネジ部２２９にネジ嵌めされて取り付けられた操作部２３９の雄ネジ部２３２の回転動作によって、収容部２１９の第３側壁２１９ｃおよび第４側壁２１９ｄをガイドとして、収容部２１９の第１側壁２１９ａと第２側壁２１９ｂとの間を、図９に矢印ｍ３で示す第２方向に移動する。このベース基板２２０の第２方向への移動によって、本体下部２１１に接続されている載置台２１３および綴じ部Ｐに対して、第１ガイド部材２３０および第２ガイド部材２３１を、第２方向に移動させることができる。
【００６７】
第１ガイド部材２３０および第２ガイド部材２３１は、載置台２１３の内に位置する綴じ受部２４１に対して、即ち綴じ部Ｐに対して両側に一つずつ配置され、ベース基板２２０の上面に接続されている。具体的に、第１ガイド部材２３０は、綴じ部Ｐに対して＋Ｙ方向側に配置され、第２ガイド部材２３１は、綴じ部Ｐに対して−Ｙ方向側に配置されている。
【００６８】
第１ガイド部材２３０および第２ガイド部材２３１は、綴じ部Ｐよりも外側に位置する記録用紙（不図示）の一つの端辺が延在する第１方向に沿った第１面２３０ｆ，２３１ｆと、第２方向に沿って、綴じ部Ｐを通る仮想線Ｋ２上に記録用紙（不図示）の角部Ｓｃが位置するように記録用紙を載置したとき、記録用紙の角部Ｓｃを構成する二つの端辺のいずれかに当接する第２面２３０ｈ，２３１ｈと、を有している。
【００６９】
換言すれば、第１ガイド部材２３０は、第１方向に沿った第１面２３０ｆと、第１面２３０ｆに対して略４５度傾いた第２面２３０ｈと、を有している。また、第２ガイド部材２３１は、第１方向に沿った第１面２３１ｆと、第１面２３１ｆに対して略４５度傾いた第２面２３１ｈと、を有している。そして、第１ガイド部材２３０と第２ガイド部材２３１とは、仮想線Ｋ２に対して、互いに略線対称の形状に設けられている。
【００７０】
なお、第１ガイド部材２３０および第２ガイド部材２３１は、載置台２１３の凸状部２２１に対して空隙を有し、載置台２１３の上面である載置面２１３ｆよりも、本体上部２１２側に突出し、載置台２１３の載置面２１３ｆに沿って挿入された記録用紙が当接可能に構成されている。なお、第１ガイド部材２３０および第２ガイド部材２３１と、載置台２１３の凸状部２２１と、の間に空隙が設けられることで、第１ガイド部材２３０および第２ガイド部材２３１が、載置台２１３と干渉せずに第２方向に移動することができる。
【００７１】
操作部２３９は、記録用紙の挿入される−Ｘ方向側、即ち綴じ部Ｐに対して反対方向側に位置する本体下部２１１に設けられている。操作部２３９は、フランジ２３３を含む回転軸２３４と、回転つまみ２３５とを備えている。回転軸２３４は、フランジ２３３から一方端に亘りベース基板２２０の雌ネジ部２２９にネジ嵌めされる雄ネジ部２３２が設けられ、フランジ２３３から他方端までの間において、本体下部２１１の収容部２１９から外側に貫通するガイド孔２３６に挿通され、端部に回転つまみ２３５が固定されている。つまり、回転軸２３４は、フランジ２３３と回転つまみ２３５によって、本体下部２１１に対して回転可能に保持されている。
【００７２】
このように、本体下部２１１に設けられた操作部２３９の回転操作により、ベース基板２２０が第２方向に沿って移動することにより、ベース基板２２０およびベース基板２２０に接続されている第１ガイド部材２３０および第２ガイド部材２３１を第２方向に移動させることができる。これにより、記録用紙に対する第２方向に係る綴じ部Ｐの位置を容易に変えることができる。
【００７３】
２．３．ガイド部材の配置
以上説明した第２実施形態に係るステープル装置２００によれば、記録用紙束に対して、二パターンのガイド部材の配置を行うことができる。つまり、第２実施形態に係るステープル装置２００によれば、二つの綴じ位置、および綴じ向きにおいて、綴じ処理を行うことができる。このことについて、図１１を参照して説明する。図１１は、第２実施形態に係るステープル装置のガイド部材と綴じ部との相関を示す平面図である。
【００７４】
先ず、図１１に示す第１の態様として、記録媒体としての記録用紙Ｓ１の一つの端辺Ｓ１ａを、第１ガイド部材２３０のガイド面である第１面２３０ｆ、および第２ガイド部材２３１のガイド面である第１面２３１ｆに当接させるように、記録用紙Ｓ１の束を載置台２１３（図１０参照）の上面２３１ｆ（図１０参照）に沿って挿入することによって、記録用紙Ｓ１の位置決めを行う。そして、記録用紙Ｓ１の一つの端辺Ｓ１ａの内側に綴じ部Ｐを設ける場合を例示している。
【００７５】
この場合の第１ガイド部材２３０の第１面２３０ｆと第２ガイド部材２３１の第１面２３１ｆとは、Ｙ軸に相当する第１方向に沿って並ぶように配置されている。ここで、記録用紙Ｓ１の端辺Ｓ１ａと綴じ部Ｐとの距離の調整が必要な場合は、ベース基板２２０を操作部２３９（図１０参照）の回転操作により、矢印Ｍの方向に移動させることによって調整することができる。具体的には、ベース基板２２０の第２外側面２２０ｂが、二点鎖線で示す移動後の第２外側面２２０ｂａの位置まで移動する。この移動に連れて、第１ガイド部材２３０および第２ガイド部材２３１も移動し、二点鎖線で示す第１ガイド部材２３０ａ、第１面２３０ｆａの位置、および第２ガイド部材２３１ａ、第１面２３１ｆａの位置になる。そして、第１ガイド部材２３０ａの第１面２３０ｆａおよび第２ガイド部材２３１ａの第１面２３１ｆａに当接する記録用紙Ｓ１の端辺Ｓ１ａも、二点鎖線で示す端辺Ｓ１ａａの位置に移動させることができる。このようにして、記録用紙Ｓ１の端辺Ｓ１ａと綴じ部Ｐとの距離を調整することができる。
【００７６】
次に、図１１に示す第２の態様として、記録媒体としての記録用紙Ｓ２の一つの端辺Ｓ２ａと、この端辺Ｓ２ａと交差して角部Ｓｃを構成する他の端辺Ｓ２ｂとを、第１ガイド部材２３０の第２面２３０ｈ、および第２ガイド部材２３１の第２面２３１ｈに当接させるように、載置台２１３（図１０参照）の上面２３１ｆ（図１０参照）に沿って記録用紙Ｓ２の束の角部Ｓｃを先頭に挿入することによって、記録用紙Ｓ２の位置決めを行う。そして、記録用紙Ｓ２の端辺Ｓ２ａと端辺Ｓ２ｂとの交差する角部Ｓｃの内側に綴じ部Ｐを設ける場合を例示している。
【００７７】
この場合の第１ガイド部材２３０および第２ガイド部材２３１は、第１ガイド部材２３０の第２面２３０ｈと、第２ガイド部材２３１の第２面２３１ｈとが、互いのなす角度を略９０度とし、−Ｘ方向に開いて配置されているため、記録用紙Ｓ２を傾けた状態で、その角部Ｓｃを容易に挿入することができる。ここで、記録用紙Ｓ２の角部Ｓｃと綴じ部Ｐとの距離の調整が必要な場合は、ベース基板２２０を操作部２３９（図１０参照）の回転操作により、矢印Ｍの方向に移動させることによって調整することができる。
【００７８】
上述した第２実施形態に係るステープル装置２００によれば、それぞれが二つのガイド面として、第１面２３０ｆ，２３１ｆおよび第２面２３０ｈ，２３１ｈを有する第１ガイド部材２３０および第２ガイド部材２３１を用いることにより、ユーザーは、簡便な取り扱いで二パターンの綴じ位置を容易に決めることができ、複数枚の記録用紙を綴じることができる。
【００７９】
３．第３実施形態
【００８０】
なお、上述の第１実施形態および第２実施形態では、ベース基板２０，２２０の第２方向への移動は、雌ネジ部２９，２２９や、雄ネジ部３２，２３２を含む回転軸３４，２３４、および回転つまみ３５，２３５を含む操作部３９，２３９の回転操作によって行う例を示して説明したがこの構成に限らない。この構成に替えて、第１実施形態および第２実施形態に係るベース基板２０，２２０の第２方向への移動は、図１２に示す第３実施形態のような構成を用いて行うことができる。以下、図１２を参照して第３実施形態に係るステープル装置３００について、ベース基板３２０の第２方向への移動に係る構成を中心に説明する。図１２は、第３実施形態に係るステープル装置の概略構成を示す断面図である。
【００８１】
図１２に示すように、第３実施形態に係るステープル装置３００は、ベース基板３２０の第２方向への移動を、押引部３３９の押引きの移動操作によって行うことができる。本体部３１０は、第１実施形態および第２実施形態と同様な構成であり、本体下部３１１、本体上部３１２、および連結部（図１２では不図示）を含んでいる。本体部３１０は、本体下部３１１と本体上部３１２との間に、記録用紙を挿入して綴じ処理を行う挿入空間を有するように、＋Ｘ方向の一方に位置する連結部によって本体下部３１１と本体上部３１２とが連結されている。
【００８２】
載置台３１３は、第１実施形態および第２実施形態と同様に、本体下部３１１の上面に接続されている。載置台３１３の載置面３１３ｆには、綴じ処理部（図１２では不図示）に相応し、綴じ部Ｐに対応する位置に設けられている綴じ受部３４１が設けられている。
【００８３】
本体部３１０を構成する本体下部３１１には、綴じ部Ｐを含む領域に相応する収容部３１９が設けられている。収容部３１９は、本体下部３１１の上面に接続された載置台３１３と、本体下部３１１の下面に接続された下部基板３１７とに挟まれている。ベース基板３２０は、押引部３３９を構成する軸３３２と接続され、押引部３３９によって本体下部３１１に、第２方向に沿って移動可能に支持されている。
【００８４】
押引部３３９は、記録用紙の挿入される−Ｘ方向側、即ち綴じ部Ｐに対して反対方向に位置する本体下部３１１に設けられている。押引部３３９は、軸３３２と、把持部３３５とを備えている。軸３３２は、一方端側がベース基板３２０に接続され、本体下部３１１の収容部３１９から外側に貫通する貫通孔であるスライドガイド部３３６に挿通され、他端部に把持部３３５が固定されている。軸３３２は、スライドガイド部３３６をガイドとして、本体下部３１１に対してＸ方向に摺動可能な状態に、本体下部３１１に支持されている。
【００８５】
押引部３３９を構成する軸３３２には、外周から凹む二つの溝部３３７，３３８が設けられている。また、本体下部３１１には、本体下部３１１の載置台３１３側の上面からスライドガイド部３３６に貫通する位置決め孔３３３が設けられている。位置決め孔３３３には、球体３３１が挿入され、コイルバネ３３４により、軸３３２に対して押圧されている。
【００８６】
図１２の例示では、球体３３１が軸３３２に設けられている溝部３３７に嵌り押圧されている第１の位置を示し、この第１の位置で押引部３３９が保持されている。そして、押引部３３９が矢印ｍ４の方向に引き出されると、球体３３１が溝部３３７から外れ、隣の溝部３３８に嵌った状態の第２の位置で停止し、この第２の位置で押引部３３９が保持される。
【００８７】
このように、第３実施形態に係るステープル装置３００では、ベース基板３２０に接続されている押引部３３９を押したり引いたりする押引操作によって、ベース基板３２０を第２方向に沿って移動することができる。加えて、溝部３３７，３３８、球体３３１、およびコイルバネ３３４などで構成される位置決め構造を適用することにより、ベース基板３２０の位置決めを容易に行うことができる。
【００８８】
また、同様に、第３実施形態に係るステープル装置３００に適用した押引部３３９を、第１実施形態および第２実施形態のステープル装置１００，２００を構成するベース基板２０，２２０の移動に用いれば、上述した第１ガイド部材３０，２３０（不図示）および第２ガイド部材３１，２３１（不図示）の位置決めを容易に行うことができる。
【００８９】
４．記録装置
次に、上述したステープル装置１００，２００，３００のいずれかを適用した記録装置として、インクジェットプリンターを例示し、図１３、および図１４を参照して説明する。図１３は、記録装置の構成を示す概略断面図である。図１４は、記録装置の概略構成を示す外観斜視図である。なお、以下の説明では、ステープル装置１００を適用した構成を例示して説明する。
【００９０】
図１３および図１４に示すように、記録装置の一例としてのインクジェットプリンター１０００は、給紙部１０１０と、給紙ローラー１０１１と、搬送ローラー１０１２と、吐出部１０２０および用紙受部１０３０を含む記録部と、インク収容部１０４０と、排出ローラー１０１３と、それらを収容する筐体１０６０と、筐体１０６０の一部に取付部１０７０を設けて取り付けられたステープル装置１００と、を含み構成されている。
【００９１】
給紙部１０１０は、記録媒体としての記録用紙Ｓを重ねて収納する。給紙ローラー１０１１は、給紙部１０１０に収納された記録用紙Ｓの最上方の１枚を、搬送経路に向けて給送する。搬送ローラー１０１２は、搬送経路に給送された記録用紙Ｓを記録部に給紙する。また、排出ローラー１０１３は、記録が行われた記録用紙Ｓを、排出部から排紙する。
【００９２】
吐出部１０２０は、例えば圧電素子などの作動によって、インクを記録用紙Ｓに向けて吐出し、パーソナルコンピューターなどの入力装置から入力された画像情報に基づく文字や画像などを記録用紙Ｓに記録する。なお、吐出部１０２０は、搬送経路の所定位置に設けられる。用紙受部１０３０は、吐出部１０２０に対向して配置され、記録が行われる記録用紙Ｓを受ける。インク収容部１０４０は、インクを収容し、インク供給路１０５０を介してインクを吐出部１０２０に供給する。
【００９３】
ステープル装置１００は、図１４に示すように、筐体１０６０の隅部に設けられた取付部１０７０に配設されている。ステープル装置１００では、文字や画像などが記録された複数枚の記録用紙Ｓを所定位置で綴じることができる。この場合、ユーザーは、文字や画像などが記録され、筐体１０６０の外部に設けられた排紙トレイ上に積載された複数枚の記録用紙Ｓから用紙束を取り出して、その用紙束を把持しながらステープル装置１００の位置に移動させ、ステープル装置１００に挿入することにより、記録用紙Ｓの用紙束に対して綴じ処理を行うことになる。なお、ステープル装置１００を用いることにより、簡便な取り扱いで三パターンの綴じ位置を容易に決めることができ、複数枚の記録用紙を綴じることができる。
【００９４】
なお、上述では、ステープル装置１００を適用した記録装置としてインクジェットプリンター１０００を例示して説明したが、記録装置としてはこれに限らない。ステープル装置１００を適用することができる他の記録装置としては、他のインク吐出方式を用いたインクジェット記録装置、電子写真方式の記録装置、オフセット印刷機などを例示することができる。
【００９５】
また、上述では、ステープル装置１００を適用した記録装置を例示して説明したが、ステープル装置１００は、スキャナーにも適用することができる。特に、スキャナーでは、原稿読取時にステープルを外す必要があり、読取終了後に再度綴じ処理を行いたい場合などに有効である。
【００９６】
また、上述では、綴じ処理を行う記録媒体の一例として、記録用紙を用いた記録用紙束を例示して説明したが、記録媒体としては、用紙に限らず、文字や画像を記録することができる媒体であればよい。このような記録媒体としては、例えばプラスチックフィルムなどの合成樹脂、木材、陶磁器など他の材質で構成されたものであってもよい。
【００９７】
また、本発明が本実施の形態に限定されず、本発明の技術思想の範囲内において、本実施の形態の中で示唆した以外にも、本実施の形態は適宜変更され得ることは明らかである。また、前述した構成部材の数、位置、形状等は、本実施の形態に限定されず、本発明を実施する上で好適な数、位置、形状等にすることができる。
【００９８】
以下に、上述した実施形態から導き出される内容を、各態様として記載する。
【００９９】
［態様１］本態様に係るステープル装置は、本体部と、前記本体部に設けられ、複数枚の記録媒体の端部に位置する綴じ部において、複数枚の前記記録媒体を綴じる機能を有する綴じ処理部と、前記綴じ部よりも外側に位置する前記記録媒体の端辺が当接され、複数枚の前記記録媒体の位置決めを行う一対のガイド部材と、前記本体部に接続され、前記記録媒体を載置する載置面を有する載置台と、を備え、一対の前記ガイド部材は、前記綴じ処理部に対して両側に一つずつ、且つ、それぞれが回動可能に前記載置台の前記載置面側に配置され、前記当接される一つの前記端辺の延在する第１方向に沿った第１姿勢と、前記載置面の延在方向において前記第１方向と直交する第２方向に沿って前記綴じ部を通る仮想線に対して線対称に、前記第１方向に対して傾斜する第２姿勢と、を回動可能であることを特徴とする。
【０１００】
本態様によれば、当接される記録媒体の一つの端辺が延在する第１方向に沿った第１姿勢と、１方向と直交する第２方向に沿って綴じ部を通る仮想線に対して対称に、第１方向に対して傾斜する第２姿勢と、を回動可能である二つのガイド部材によって、複数枚の記録媒体の位置決めが行われ、綴じ部において綴じることができる。詳述すれば、第１姿勢のガイド部材に記録媒体の一つの端辺が当接するように記録媒体を載置し、この端辺の内側に綴じ部を設けることができる。
また、第１姿勢から第２姿勢に移動した二つのガイド部材の間に、略４５度回転した記録媒体の角部を位置させ、この角部を構成する記録媒体の二つの端辺が第２姿勢に移動した二つのガイド部材に当接するように記録媒体を載置することによって、角部の内側に綴じ部を設けることができる。
このような構成により、ユーザーは、簡便な取り扱いで二通りの綴じ位置を容易に決め、複数枚の記録媒体を綴じることができる。
なお、ここでの「直交する」とは、９０度で交差する厳密な直角を意味せず、９０度±５度程度の誤差を含んでもよいものとする。
【０１０１】
［態様２］上記態様に記載のステープル装置において、前記載置台に対して前記ガイド部材の配置側と反対側に設けられ、一対の歯車を軸支する基板を備え、それぞれの前記ガイド部材は、それぞれの前記歯車に連結され、前記載置台を貫通する軸によって軸支され、前記歯車の回転動作によって、前記第１姿勢と前記第２姿勢との間を移動することとしてもよい。
【０１０２】
本態様によれば、一対の歯車を回転させることによって、それぞれのガイド部材を、第１姿勢と第２姿勢との間を同じ方向に、容易に回動させることができる。
【０１０３】
［態様３］上記態様に記載のステープル装置において、前記歯車は、前記歯車に接続されたレバーを有し、前記レバーが移動されることによって、前記歯車が回転し、前記ガイド部材が回動することとしてもよい。
【０１０４】
本態様によれば、歯車に接続されたレバーを、ユーザーが移動させることによって、容易に二つのガイド部材を回動させることができる。
【０１０５】
［態様４］上記態様に記載のステープル装置において、前記本体部に対して、前記第２方向に沿って移動可能に取り付けられ、前記基板が回動可能に軸支されているベース基板と、前記第２方向において、前記綴じ部と反対方向の前記本体部に支持された操作部と、を備え、前記ベース基板は、前記操作部の回転操作により、前記第２方向に移動する、こととしてもよい。
【０１０６】
本態様によれば、本体部に支持された操作部の回転操作により、ベース基板が第２方向に沿って移動することにより、基板および基板に歯車を介して軸支されているガイド部材を第２方向に移動させることができる。これにより、記録媒体に対する綴じ部の位置を容易に変えることができる。
また、ベース基板に回動可能に軸支されている基板を回転させることにより、角部の内側に綴じ部を設けた場合の綴じ位置の種類を、さらに一つ加えることができる。
【０１０７】
［態様５］上記態様に記載のステープル装置において、前記本体部に対して、前記第２方向に沿って移動可能に取り付けられ、前記基板が回動可能に軸支されているベース基板と、前記第２方向において、前記綴じ部と反対方向の前記ベース基板に接続された押引部と、前記本体部に設けられ、前記押引部の前記第２方向に沿った移動をガイドするスライドガイド部と、を備え、前記ベース基板は、前記押引部の押引き操作により、前記第２方向に移動することとしてもよい。
【０１０８】
本態様によれば、本体部に設けられた押引部の押引き操作によって、ベース基板が第２方向に沿って移動することにより、基板および基板に歯車を介して軸支されているガイド部材を第２方向に移動させることができる。これにより、記録媒体に対する綴じ部の位置を容易に変えることができる。
【０１０９】
［態様６］上記態様に記載のステープル装置において、前記基板は、前記ガイド部材を回転方向に移動可能なつまみ部を備えていることとしてもよい。
【０１１０】
本態様によれば、基板に備えられているつまみ部を移動操作することにより、ガイド部の回動を容易に行うことができる。
【０１１１】
［態様７］本態様に記載のステープル装置は、本体部と、前記本体部に接続され、複数枚の記録媒体の端部に位置する綴じ部において、複数枚の前記記録媒体を綴じる機能を有する綴じ処理部と、複数枚の前記記録媒体の位置決めを行う一対のガイド部材と、前記本体部に接続され、前記記録媒体を載置する載置面を有する載置台と、を備え、一対の前記ガイド部材は、前記綴じ処理部に対して両側に一つずつ配置され、前記綴じ部よりも外側に位置する前記記録媒体の一つの端辺が延在する第１方向に沿った第１面と、前記載置台の延在方向において前記第１方向と直交する第２方向に沿って、前記綴じ部を通る仮想線上に前記記録媒体の角部が位置するように前記記録媒体を載置したとき、前記角部を構成する二つの前記端辺のいずれかに当接する第２面と、を有していることを特徴とする。
【０１１２】
本態様によれば、記録媒体の一つの端辺が延在する第１方向に沿った第１面と、第１方向と直交する第２方向に沿って、綴じ部を通る仮想線上に記録媒体の角部が位置するように記録媒体を載置したとき、記録媒体の角部を構成する二つの端辺のいずれかに当接する第２面と、を有する二つのガイド部材によって、複数枚の記録媒体の位置決めが行われ、綴じ部において綴じることができる。詳述すれば、ガイド部材の第１面に記録媒体の一つの端辺が当接するように記録媒体を載置し、この端辺の内側に綴じ部を設けることができる。また、二つのガイド部材の間に位置する綴じ部を通り、第２方向に延びる仮想線上に、例えば略４５度の角度で回転させた記録媒体の角部を位置させ、この角部を構成する記録媒体の二つの端辺がガイド部材の第２面に当接するように記録媒体を載置することによって、角部の内側に綴じ部を設けることができる。このような構成により、ユーザーは、簡便な取り扱いで二通りの綴じ位置を容易に決め、複数枚の記録媒体を綴じることができる。
【０１１３】
［態様８］上記態様に記載のステープル装置において、前記本体部に対して、前記第２方向に沿って移動可能に取り付けられているベース基板を備え、前記ガイド部材は、前記ベース基板に接続され、前記ベース基板とともに前記第２方向に移動することとしてもよい。
【０１１４】
本態様によれば、第２方向に沿って移動可能に本体部に接続されたベース基板とともに、ガイド部材が第２方向に移動することができ、載置台上の記録媒体に対する綴じ部の位置を容易に変えることができる。
【０１１５】
［態様９］上記態様に記載のステープル装置において、前記第２方向において、前記綴じ部と反対方向の前記本体部に支持された操作部を有し、前記ベース基板は、前記操作部の回転操作により、前記第２方向に移動することとしてもよい。
【０１１６】
本態様によれば、操作部の回転操作により、ベース基板およびベース基板に接続されたガイド部材を第２方向に沿って移動することができ、記録媒体に対する綴じ部の第２方向における位置を容易に変えることができる。
【０１１７】
［態様１０］上記態様に記載のステープル装置において、前記第２方向において、前記綴じ部と反対方向の前記ベース基板に接続された押引部と、前記本体部に設けられ、前記押引部を摺動可能に支持するスライドガイド部と、を備え、前記ベース基板は、前記押引部の押引き操作により、前記第２方向に移動することとしてもよい。
【０１１８】
本態様によれば、押引部の押引き操作により、ベース基板およびベース基板に接続されたガイド部材を第２方向に沿って移動することができ、記録媒体に対する綴じ部の第２方向における位置を容易に変えることができる。
【０１１９】
［態様１１］本態様に係る記録装置は、記録媒体に記録を行う記録部と、上記態様のいずれか一つに記載のステープル装置と、を備えていることを特徴とする。
【０１２０】
本態様の記録装置によれば、記録部によって記録が行われた記録媒体を、簡便な取り扱いで二通りの綴じ位置を容易に決めることが可能なステープル装置により、綴じることができる。
【符号の説明】
【０１２１】
１０…本体部、１１…本体下部、１２…本体上部、１３…載置台、１３ｆ…載置面、１４…連結部、１７…下部基板、１８ａ…第１窓部、１８ｂ…第２窓部、１９…収容部、１９ａ…第１側壁、１９ｂ…第２側壁、１９ｃ…第３側壁、１９ｄ…第４側壁、２０…ベース基板、２０ａ…第１外側面、２０ｂ…第２外側面、２０ｃ…第３外側面、２０ｄ…第４外側面、２１…基板、２２…第１歯車、２３…第２歯車、２４…基板軸、２４ｈ…軸受孔、２５，２６…歯車軸、２７…第１操作レバー、２８…レバーとしての第２操作レバー、２９…雌ネジ部、３０…第１ガイド部材、３１…第２ガイド部材、３２…雄ネジ部、３３…フランジ、３４…回転軸、３５…回転つまみ、３６…ガイド孔、３７，３８…逃げ孔、３９…操作部、４０…綴じ処理部、４１…綴じ受部、１００，２００…ステープル装置、１０００…記録装置としてのインクジェットプリンター、Ｐ…綴じ部、Ｑ…挿入空間、ｒ１…基板回転方向、ｒ２，ｒ３…歯車回転方向を示す矢印、ｍ１…第１操作レバー移動方向、ｍ２…第２操作レバー移動方向、ｍ３，ｍ４…ベース基板移動方向を示す矢印、Ｋ２…仮想線、Ｓ１，Ｓ２，Ｓ３…記録媒体としての記録用紙、Ｓ１ａ…記録用紙の端辺、Ｓ２ａ，Ｓ２ｂ…記録用紙の両側端辺。
【図１】
2020110946.tif 000003
【図２】
2020110946.tif 000004
【図３】
2020110946.tif 000005
【図４】
2020110946.tif 000006
【図５】
2020110946.tif 000007
【図６】
2020110946.tif 000008
【図７】
2020110946.tif 000009
【図８】
2020110946.tif 000010
【図９】
2020110946.tif 000011
【図１０】
2020110946.tif 000012
【図１１】
2020110946.tif 000013
【図１２】
2020110946.tif 000014
【図１３】
2020110946.tif 000015
【図１４】
2020110946.tif 000016